(57)【要約】【課題】躯体の室外側表面に設けられる断熱材の断熱性に支障を来すことなく、しかも作業性の向上を図る。【解決手段】枠状躯体４に固定される固定用フィン部１３と、固定用フィン部１３よりも室外側に配置した防水用フィン部１４とを有し、防水用フィン部１４の室外側表面１４ｂと、枠状躯体４の室外側に設けられた断熱材３０の室外側表面３０ａとにわたって防水部材となる防水テープ５０及び防水シート５１が設けられる枠材１１Ａ，１１Ｂ，１１Ｃであって、固定用フィン部１３と防水用フィン部１４との間には、断熱材３０に対して見付け方向に並設される補助断熱材１５が装着されている。【選択図】図３
2019127739.tif 000002
【特許請求の範囲】
【請求項１】
躯体に固定される固定用フィン部と、前記固定用フィン部よりも室外側に配置した防水用フィン部とを有し、前記防水用フィン部の室外側表面と、前記躯体の室外側に設けられた断熱材の室外側表面とにわたって防水部材が設けられる枠材であって、
前記固定用フィン部と前記防水用フィン部との間には、前記断熱材に対して見付け方向に並設される補助断熱材が装着されていることを特徴とする枠材。
【請求項２】
前記固定用フィン部は、前記防水用フィン部よりも突出長さが大きく構成され、前記補助断熱材は前記断熱材側に位置する端面が前記固定用フィン部の延在端面から突出した状態で前記固定用フィン部と前記防水用フィン部との間に装着されていることを特徴とする請求項１に記載の枠材。
【請求項３】
前記固定用フィン部は、前記防水用フィン部よりも突出長さが大きく構成され、前記補助断熱材は前記断熱材側に位置する端面が前記固定用フィン部の延在端面以内となる状態で前記固定用フィン部と前記防水用フィン部との間に装着されていることを特徴とする請求項１に記載の枠材。
【請求項４】
前記固定用フィン部は、前記防水用フィン部よりも突出長さが大きく構成され、前記補助断熱材は前記断熱材側に位置する端面が前記防水用フィン部の端面以内となる状態で前記固定用フィン部と前記防水用フィン部との間に装着されていることを特徴とする請求項１に記載の枠材。
【請求項５】
躯体に固定される固定用フィン部と、前記固定用フィン部よりも室外側に配置した防水用フィン部とを有し、前記防水用フィン部の室外側表面と、前記躯体の室外側に設けられた断熱材の室外側表面とにわたって防水部材を設けるようにした枠材の取付構造であって、
前記固定用フィン部と前記防水用フィン部との間には、前記断熱材に対して見付け方向に並設される補助断熱材が装着されており、
前記断熱材及び前記補助断熱材が並設された状態で前記防水用フィン部の室外側表面と前記断熱材の室外側表面とにわたって前記防水部材が設けられていることを特徴とする枠材の取付構造。
【発明の詳細な説明】
【技術分野】
【０００１】
本発明は、枠材及び枠材の取付構造に関するもので、特に、室外側表面に断熱材が設けられる躯体を取付対象とした枠材及び枠材の取付構造に関するものである。
【背景技術】
【０００２】
躯体に対して枠材を取り付ける場合には、枠材に設けられた固定用のフィン部を躯体の室外側表面に当接させた状態でフィン部を介して躯体にネジを螺合するようにしている。躯体の室外側表面に設けられる断熱材は、枠材が取り付けられた後、フィン部の室外側表面を覆った状態となる（例えば、特許文献１参照）。
【０００３】
ところで、一般的な家屋においては、外壁材と躯体との間に通気層が確保されている。この通気層には、雨水等の水が浸入する場合がある。上述の建具では、外壁材と躯体との間に浸入した水が直接断熱材に触れることになるため、断熱材の劣化が促進されて建物の断熱性に支障を来すおそれがある。
【０００４】
こうした事情に鑑みて本件出願人は、特許文献２において、躯体に固定される固定用フィン部と、固定用フィン部よりも室外側に配置した防水用フィン部とを有し、防水用フィン部の室外側表面と、躯体の室外側に設けられた断熱材の室外側表面とにわたって防水部材が設けられるものを提供している。この特許文献２によれば、防水用フィン部と断熱材とにわたって防水部材が設けられるため、外壁材と断熱材との間の通気層に雨水等の水が浸入した場合にも断熱材が水に濡れるおそれがなくなる。
【先行技術文献】
【特許文献】
【０００５】
【特許文献１】実公平７−１６８７６号公報
【特許文献２】特願２０１７−１１６８６０号
【発明の概要】
【発明が解決しようとする課題】
【０００６】
ここで、固定用フィン部及び防水用フィン部を有した枠材にあっては、予め躯体の表面に断熱材が取り付けられていた場合、固定用フィン部が断熱材に干渉することになり、固定用フィン部を躯体に取り付けることが困難となる。一方、固定用フィン部との干渉を避けるように躯体に断熱材を配置した場合には、固定用フィン部が取り付けられる部分を断熱材で覆うことができず、断熱性の点で問題を生じるおそれがある。従って、枠材の躯体への取り付けは、躯体に断熱材を取り付ける以前に行うことが好ましい。
【０００７】
しかしながら、躯体に枠材を取り付けた後にあっては、躯体の室外側表面に対して防水用フィン部が突出した状態となる。このため、躯体の表面に断熱材を配置するには、防水用フィン部との接触を避けるように、側方から固定用フィン部と防水用フィン部との間に縁部を挿入しながら断熱材を躯体の表面に配置しなければならず、作業性を考慮した場合、特に断熱材の取り扱い性の観点からすれば、必ずしも好ましいとはいえない。
【０００８】
本発明は、上記実情に鑑みて、躯体の室外側表面に設けられる断熱材の断熱性に支障を来すことなく、しかも作業性の向上を図ることのできる枠材及び枠材の取付構造を提供することを目的とする。
【課題を解決するための手段】
【０００９】
上記目的を達成するため、本発明に係る枠材は、躯体に固定される固定用フィン部と、前記固定用フィン部よりも室外側に配置した防水用フィン部とを有し、前記防水用フィン部の室外側表面と、前記躯体の室外側に設けられた断熱材の室外側表面とにわたって防水部材が設けられる枠材であって、前記固定用フィン部と前記防水用フィン部との間には、前記断熱材に対して見付け方向に並設される補助断熱材が装着されていることを特徴とする。
【００１０】
この発明によれば、固定用フィン部と防水用フィン部との間に補助断熱材が装着されているため、躯体の室外側に設けられる断熱材をこれら固定用フィン部と防水用フィン部との間に挿入する必要がない。従って、例えば躯体に枠材を取り付けた後においては、単に躯体の室外側に断熱材を配置すれば、見付け方向に隙間無く断熱材と補助断熱材とを並設させることができるようになる。これにより、その後、防水用フィン部の室外側表面と断熱材の室外側表面とにわたって防水部材を設けることで断熱材及び補助断熱材が水に濡れるおそれがなくなり、断熱性に支障を来すことなく、作業性の向上を図ることが可能となる。
【００１１】
また本発明は、上述した枠材において、前記固定用フィン部は、前記防水用フィン部よりも突出長さが大きく構成され、前記補助断熱材は前記断熱材側に位置する端面が前記固定用フィン部の延在端面から突出した状態で前記固定用フィン部と前記防水用フィン部との間に装着されていることを特徴とする。
【００１２】
この発明によれば、固定用フィン部との干渉を避けるように躯体に予め断熱材を配置した場合にも、その後、枠材を取り付けることで、固定用フィン部が取り付けられる部分についても補助断熱材によって覆うことができるようになる。しかも、固定用フィン部及び防水用フィン部が補助断熱材によって覆われるため、枠材を単体で取り扱う場合に固定用フィン部や防水用フィン部が損傷する事態を招来するおそれがない。
【００１３】
また本発明は、上述した枠材において、前記固定用フィン部は、前記防水用フィン部よりも突出長さが大きく構成され、前記補助断熱材は前記断熱材側に位置する端面が前記固定用フィン部の延在端面以内となる状態で前記固定用フィン部と前記防水用フィン部との間に装着されていることを特徴とする。
【００１４】
この発明によれば、補助断熱材が固定用フィン部を超えて突出しないため、外形寸法が増大することがなく、取り扱い性が損なわれるおそれがない。
【００１５】
また本発明は、上述した枠材において、前記固定用フィン部は、前記防水用フィン部よりも突出長さが大きく構成され、前記補助断熱材は前記断熱材側に位置する端面が前記防水用フィン部の端面以内となる状態で前記固定用フィン部と前記防水用フィン部との間に装着されていることを特徴とする。
【００１６】
この発明によれば、躯体に枠材を取り付ける際には固定用フィン部の室外側表面が一部露出した状態となるため、例えば固定用フィン部を介して躯体にネジを螺合させる場合に断熱材や補助断熱材にネジを挿通するための孔を設ける必要がなくなる。従って、断熱材や補助断熱材の製造コストを低減することができるとともに、ネジを螺合する作業を容易、かつ正確に行うことができるようになる。
【００１７】
また本発明に係る枠材の取付構造は、躯体に固定される固定用フィン部と、前記固定用フィン部よりも室外側に配置した防水用フィン部とを有し、前記防水用フィン部の室外側表面と、前記躯体の室外側に設けられた断熱材の室外側表面とにわたって防水部材を設けるようにした枠材の取付構造であって、前記固定用フィン部と前記防水用フィン部との間には、前記断熱材に対して見付け方向に並設される補助断熱材が装着されており、前記断熱材及び前記補助断熱材が並設された状態で前記防水用フィン部の室外側表面と前記断熱材の室外側表面とにわたって前記防水部材が設けられていることを特徴とする。
【００１８】
この発明によれば、固定用フィン部と防水用フィン部との間に補助断熱材が装着されているため、躯体の室外側に設けられる断熱材をこれら固定用フィン部と防水用フィン部との間に挿入する必要がない。従って、例えば躯体に枠材を取り付けた後においては、単に躯体の室外側に断熱材を配置すれば、見付け方向に隙間無く断熱材と補助断熱材とを並設させることができるようになる。これにより、防水用フィン部の室外側表面と断熱材の室外側表面とにわたって防水部材を設けることで断熱材及び補助断熱材が水に濡れるおそれがなくなり、断熱性に支障を来すことなく、作業性の向上を図ることが可能となる。
【発明の効果】
【００１９】
本発明によれば、固定用フィン部と防水用フィン部との間に補助断熱材が装着されているため、躯体の室外側に設けられる断熱材をこれら固定用フィン部と防水用フィン部との間に挿入する必要がない。従って、例えば躯体に枠材を取り付けた後においては、単に躯体の室外側に断熱材を配置すれば、見付け方向に隙間無く断熱材と補助断熱材とを並設させることができるようになる。これにより、その後、防水用フィン部の室外側表面と断熱材の室外側表面とにわたって防水部材を設けることで断熱材及び補助断熱材が水に濡れるおそれがなくなり、断熱性に支障を来すことなく、作業性の向上を図ることが可能となる。
【図面の簡単な説明】
【００２０】
【図１】本発明の実施の形態である枠材を適用した建具の縦断面図である。
【図２】図１に示した建具の横断面図である。
【図３】図１に示した建具において枠材を躯体に取り付ける直前の状態を示す要部拡大横断面図である。
【図４】図１に示した建具に適用する枠材を示すもので、（ａ）は補助断熱材を装着した状態の断面図、（ｂ）は補助断熱材を装着する以前の状態の断面図である。
【図５−１】図３に示した枠材の変形例１を示す要部断面図である。
【図５−２】図３に示した枠材の変形例２を示す要部断面図である。
【図６】図５−２に示した枠材を躯体に取り付ける第１例を示す要部断面図である。
【図７】図５−２に示した枠材を躯体に取り付ける第２例を示す要部断面図である。
【発明を実施するための形態】
【００２１】
以下、添付図面を参照しながら本発明に係る枠材及び枠材の取付構造の好適な実施の形態について詳細に説明する。
図１及び図２は、本発明の実施の形態である枠材を適用した建具を示すものである。ここで例示する建具は、開口枠１０に障子２０を開閉可能に配設することによって構成したものである。この建具が設置される建物には、２つの柱１の間にまぐさ２及び窓台３を設けることによって矩形状の枠状躯体４が構成してある。枠状躯体４を含む建物の主要構造体には、室外側表面４ａに断熱材３０が配置され、さらに断熱材３０との間に通気層Ｖを確保した状態で外壁材４０が設けられることになる。断熱材３０は、いわゆる付加断熱材と称されるもので、ウレタンフォーム等、緩衝材としても機能する樹脂によって予め平板状に成形されたものを適用している。
【００２２】
建具の障子２０は、矩形状を成す面材２１の四周に上框２２Ａ、下框２２Ｂ及び左右の縦框２２Ｃを装着することによって構成したものである。面材２１としては、２枚のガラスを積層して構成した複層ガラスを適用している。障子２０を構成するそれぞれの框材２２Ａ，２２Ｂ，２２Ｃは、アルミニウム合金等の金属、もしくは樹脂によって成形した押し出し形材である。本実施の形態では、上框２２Ａ、下框２２Ｂ及び左右の縦框２２Ｃとして、互いに同一の断面形状を有するものを適用し、相互間を留め継ぎによって接合している。
【００２３】
開口枠１０は、上枠１１Ａ、下枠１１Ｂ及び左右の縦枠１１Ｃを四周枠組みすることによって構成したものである。開口枠１０を構成するそれぞれの枠材１１Ａ，１１Ｂ，１１Ｃは、アルミニウム合金等の金属、もしくは樹脂によって成形した押し出し形材である。開口枠１０を構成するそれぞれの枠材１１Ａ，１１Ｂ，１１Ｃとしては、框材２２Ａ，２２Ｂ，２２Ｃと同様、互いに同一の断面形状を有し、相互間を留め継ぎによって接合したものを適用している。
【００２４】
以下、枠材１１Ａ，１１Ｂ，１１Ｃの構成について詳述し、併せて本願発明の特徴部分について詳述する。なお、以下の説明においては、枠状躯体４に取り付けた状態の姿勢でそれぞれの構成を特定することとする。また、本実施の形態では便宜上、見込み方向及び見付け方向という用語を用いる。見込み方向とは、図中の矢印Ａで示すように、建具の奥行きに沿った方向である。見込み方向に沿った平面については、見込み面と称する場合がある。見付け方向とは、上枠１１Ａや下枠１１Ｂのように左右に沿った部材の場合、見込み方向に直交した上下に沿う方向であり、縦枠１１Ｃのように上下に沿った部材の場合、見込み方向に直交した左右に沿う方向である。見付け方向に沿った平面については、見付け面と称する場合がある。
【００２５】
開口枠１０を構成するそれぞれの枠材１１Ａ，１１Ｂ，１１Ｃは、図１〜図３に示すように、基板部１２、固定用フィン部１３及び防水用フィン部１４を有している。基板部１２は、見込み方向に沿って延在した平板状を成すものである。固定用フィン部１３及び防水用フィン部１４は、それぞれ基板部１２の外周側となる見込み面から外周に向けてほぼ直角となるように延在した平板状部分である。室内側に位置する固定用フィン部１３は、室外側に位置する防水用フィン部１４に対してほぼ２倍の寸法を有するように形成してある。固定用フィン部１３において防水用フィン部１４よりも突出した部分には、長手に沿った複数箇所にネジ挿通孔１３ａが形成してある。固定用フィン部１３の延在端部には、室内に臨む部位の全長に突条１３ｂが設けてあり、防水用フィン部１４の延在端縁部には、固定用フィン部１３に対向する部位の全長に突条１４ａが設けてある。
【００２６】
また、個々の枠材１１Ａ，１１Ｂ，１１Ｃには、固定用フィン部１３と防水用フィン部１４との間にそれぞれ補助断熱材１５が装着してある。補助断熱材１５は、枠状躯体４に配置した断熱材３０と同じ材質から成り、かつ同一の板厚を有した平板状を成すもので、図には明示していないが、固定用フィン部１３に対して接着材や両面テープ等の接着手段によって接着してある。
【００２７】
図３に示すように、枠材１１Ａ，１１Ｂ，１１Ｃに装着された補助断熱材１５は、外周側端面１５ａが固定用フィン部１３よりも突出した状態にある。この補助断熱材１５は、固定用フィン部１３の室外側表面１３ｃ、固定用フィン部１３の延在端面１３ｄ及び基板部１２の外周側表面１２ａに対してはほぼ全面が接触し、かつ防水用フィン部１４に対しては突条１４ａのみが接触している。補助断熱材１５において枠材１１Ａ，１１Ｂ，１１Ｃのネジ挿通孔１３ａに対向する部位には、ネジ貫通孔１５ｂが設けてある。ネジ貫通孔１５ｂは、ネジ１６を螺合する際に用いるスクリュードライバー等の工具の先端部が挿入可能となる寸法に形成した貫通孔である。
【００２８】
上記のように構成した枠材１１Ａ，１１Ｂ，１１Ｃは、予め四周枠組みして開口枠１０を構成し、かつ固定用フィン部１３及び防水用フィン部１４の間にそれぞれ補助断熱材１５を装着した状態で枠状躯体４に取り付けられることになる。具体的に説明すると、まず、枠材１１Ａ，１１Ｂ，１１Ｃは、基板部１２が枠状躯体４の内周側見込み面４ｂに対向した状態で固定用フィン部１３が枠状躯体４の室外側表面４ａに当接される。
【００２９】
次いで、この状態から補助断熱材１５のネジ貫通孔１５ｂ及び固定用フィン部１３のネジ挿通孔１３ａを介して枠状躯体４にネジ１６を螺合し、かつ基板部１２の室内側縁部を介して枠状躯体４にネジ１６を螺合すれば、図１及び図２に示すように、枠状躯体４に対して枠材１１Ａ，１１Ｂ，１１Ｃが固定された状態に維持される。枠状躯体４の内周側見込み面４ｂと枠材１１Ａ，１１Ｂ，１１Ｃの基板部１２との間に生じる隙間には、ネジ１６を螺合する以前に適宜スペーサ部材１７を配置しておけば良い。
【００３０】
ここで、この建具では、図２の左方部分で示すように、枠状躯体４に対して先に開口枠１０を取り付けた後においても、枠状躯体４の室外側に断熱材３０を配置する作業が煩雑化することがない。すなわち、開口枠１０を構成するそれぞれの枠材１１Ａ，１１Ｂ，１１Ｃには、固定用フィン部１３と防水用フィン部１４との間に予め補助断熱材１５が装着されているため、枠状躯体４の室外側に配置される断熱材３０の縁部を固定用フィン部１３と防水用フィン部１４との間に挿入する必要がない。従って、枠状躯体４に枠材１１Ａ，１１Ｂ，１１Ｃを取り付けた後においては、単に枠状躯体４の室外側に断熱材３０を配置すれば、見付け方向に隙間無く断熱材３０と補助断熱材１５とを並設させることができるようになる。
【００３１】
その後、図２中の右方部分で示すように、防水用フィン部１４の室外側表面１４ｂと補助断熱材１５の室外側表面１５ｃと断熱材３０の室外側表面３０ａとにわたって防水テープ（防水部材）５０を貼り付ける。さらに、防水テープ５０を覆い隠すように、防水用フィン部１４の室外側表面１４ｂから補助断熱材１５の室外側表面１５ｃを経て断熱材３０の室外側表面３０ａ全域にわたる部位に防水シート（防水部材）５１を配設すれば、開口枠１０、断熱材３０及び補助断熱材１５に対して所望の防水対策を施すことができる。
【００３２】
すなわち、この状態においては、防水テープ５０によって断熱材３０と補助断熱材１５との間及び補助断熱材１５と防水用フィン部１４との間の隙間が塞がれるとともに、防水シート５１によって断熱材３０及び補助断熱材１５の室外側表面１５ｃが完全に覆われた状態となる。従って、その後に配設した外壁材４０との間の通気層Ｖに雨水等の水が浸入して断熱材３０及び補助断熱材１５に付着したとしても、その水が断熱材３０や補助断熱材１５の内部に浸入したり、断熱材３０と補助断熱材１５との隙間や補助断熱材１５と防水用フィン部１４との隙間から枠状躯体４側に浸入したりするおそれがなくなる。
【００３３】
一方、枠状躯体４に対する枠材１１Ａ，１１Ｂ，１１Ｃの取り付けについては、図３に示すように、固定用フィン部１３との干渉を避けるように枠状躯体４に予め断熱材３０を配置した後であっても良い。断熱材３０を取り付けた後に枠材１１Ａ，１１Ｂ，１１Ｃを取り付ける場合であっても、固定用フィン部１３と防水用フィン部１４との間には既に補助断熱材１５が装着されているため、固定用フィン部１３が取り付けられる部分を補助断熱材１５によって覆うことができ、建物の断熱性を損なうことがない。
【００３４】
以上説明したように、この建具では、開口枠１０を構成する枠材１１Ａ，１１Ｂ，１１Ｃに対して、枠状躯体４との取り付けに必要となる固定用フィン部１３を設けるとともに、断熱材３０の室外側表面３０ａに当接する防水用フィン部１４を設けている。さらには、防水用フィン部１４の室外側表面１４ｂと断熱材３０の室外側表面３０ａとにわたって防水テープ５０及び防水シート５１を設けるようにしている。従って、外壁材４０との間の通気層Ｖに雨水等の水が浸入した場合にも、断熱材３０が水に濡れることがなく、その断熱性に支障を来すおそれもない。
【００３５】
しかも、固定用フィン部１３と防水用フィン部１４との間に補助断熱材１５を装着しているため、断熱材３０を配置する作業が煩雑化することはなく、建物全体を断熱材３０及び補助断熱材１５によって覆うことで所望の断熱性を確保することが可能となる。
【００３６】
なお、上述した実施の形態では、枠状躯体４に配置された断熱材３０の端面３０ｂに対向する外周側端面１５ａが固定用フィン部１３の延在端面１３ｄから突出する状態で、枠材１１Ａ，１１Ｂ，１１Ｃに補助断熱材１５を装着している。従って、図４の（ａ）に示すように、枠状躯体４に取り付ける以前の状態で枠材１１Ａ，１１Ｂ，１１Ｃに異物Ｆが接近した場合にも、補助断熱材１５が先に異物Ｆに接触することになり、固定用フィン部１３や防水用フィン部１４が直接異物Ｆに触れることおそれがない。すなわち、補助断熱材１５が装着されていない場合には、図４の（ｂ）に示すように、固定用フィン部１３や防水用フィン部１４が直接異物Ｆに接触することになり、固定用フィン部１３や防水用フィン部１４に変形等の損傷を来すおそれがある。これに対して実施の形態によれば、補助断熱材１５が緩衝材として機能することになり、固定用フィン部１３や防水用フィン部１４に損傷を来すおそれがなくなる。
【００３７】
しかしながら、本発明はこれに限定されず、図５−１に示す変形例１のように、断熱材３０側に位置する外周側端面１１５ａが固定用フィン部１３の延在端面１３ｄ以内となるように補助断熱材１１５を装着しても良いし、図５−２に示す変形例２のように、断熱材３０側に位置する外周側端面２１５ａが防水用フィン部１４の延在端面１４ｃ以内となるように補助断熱材２１５を装着することも可能である。
【００３８】
すなわち、図５−１に示した変形例１のように、補助断熱材１１５の外周側端面１１５ａが固定用フィン部１３の延在端面１３ｄ以内や図５−２に示した変形例２のように、補助断熱材２１５の外周側端面２１５ａが防水用フィン部１４の延在端面１４ｃ以内となった枠材１１Ａ，１１Ｂ，１１Ｃにおいても、図６に示すように、後から配置する断熱材３０の縁部を固定用フィン部１３と防水用フィン部１４との間に挿入する作業が不要、もしくは軽減されることになり、補助断熱材１１５，２１５を装着していない枠材１１Ａ，１１Ｂ，１１Ｃに比べて作業性の向上を図ることが可能となる。しかも、変形例１によれば、補助断熱材１１５が枠材１１Ａ，１１Ｂ，１１Ｃから突出しないため、外形寸法が増大することがなく、部品単体としての取り扱い性が損なわれることもない。また、変形例１においては、実施の形態と同様、補助断熱材１１５にネジ貫通孔１１５ｂを設ける必要があるが、変形例２によれば、固定用フィン部１３のネジ挿通孔１３ａが外部に露出した状態となり、補助断熱材２１５にネジ貫通孔を設ける必要がなくなるばかりでなく、枠材１１Ａ，１１Ｂ，１１Ｃを取り付ける際にネジ１６を螺合する作業が容易、かつ正確となる利点もある。
【００３９】
なお、変形例２においては、枠状躯体４に予め断熱材３０を配置した後に枠材１１Ａ，１１Ｂ，１１Ｃを取り付けた場合、固定用フィン部１３に断熱材３０及び補助断熱材２１５のいずれにも覆われない部分が生じる。しかしながら、この場合であっても、図７に示すように、固定用フィン部１３にネジ１６を螺合した後、断熱材３０と補助断熱材２１５との間の隙間を埋めるように断熱性を有したスペーサ３１５を配設すればこれを解消することができ、作業性を損なうことなく建物に所望の断熱性を確保することが可能となる。
【００４０】
なお、上述した実施の形態では、開口枠１０を構成する上枠１１Ａ、下枠１１Ｂ及び左右の縦枠１１Ｃとして、互いに同一の断面形状を有し、相互間を留め継ぎによって接合したものを適用しているが、本発明はこれに限定されない。
【符号の説明】
【００４１】
４  枠状躯体、１１Ａ，１１Ｂ，１１Ｃ  枠材、１３  固定用フィン部、１３ｄ  延在端面、１４  防水用フィン部、１４ｂ  室外側表面、１５，１１５，２１５  補助断熱材、１５ａ，１１５ａ，２１５ａ  外周側端面、３０  断熱材、３０ａ  室外側表面、５０  防水テープ、５１  防水シート
【図１】
2019127739.tif 000003
【図２】
2019127739.tif 000004
【図３】
2019127739.tif 000005
【図４】
2019127739.tif 000006
【図５−１】
2019127739.tif 000007
【図５−２】
2019127739.tif 000008
【図６】
2019127739.tif 000009
【図７】
2019127739.tif 000010